(57)【要約】【課題】従来のボタンホールは補強テープを取り付けるものであるので、ボタン穴の切れ目にボタンホール形成布を介在するだけで、薄手や厚手の生地を問わず手早くきれいに作れるボタンホール形成布を提供する。【解決手段】衣服地８に設けるボタン穴用の切れ目９の周囲を十二分に覆う大きさの布片を二枚重ねて成る長手方向両サイドから内側に所定の長さの切れ込み５を付け、その切れ込み５の一方を表布３とし、他方を裏布２とする前記切れ込み５部を縫い合わせ部６で連結した前記表布３と裏布２それぞれを反転して成るボタンホール形成布１とする。【選択図】図１
2009062668.tif 000002
【特許請求の範囲】
【請求項１】
衣服地に設けたボタン穴用の切れ目の周囲を十分に覆う所定の大きさの二枚の布片を重ねて成る、長手方向両サイドから内側に所定の長さの切れ込みを個々に付け、その切れ込みの上下一方を表布とし、他方を裏布とする前記切れ込み部を個々に縫い合わせて成る前記表布と裏布それぞれを反転して成る中ほどにボタンホールを形成する構成を特徴とするボタンホール形成布。
【請求項２】
前記する表布の両サイドと長手辺端部が、他方の裏布より一回り小さい請求項１に記載するボタンホール形成布。
【請求項３】
前記する表布と裏布が対向する面に、アイロンの熱で接着する熱接着剤を施して成る請求項１又は請求項２に記載するボタンホール形成布。
【発明の詳細な説明】
【技術分野】
【０００１】  本発明は、衣服のボタンホールを作る際に、生地の素材やボタンの大きさ、ミシン掛けの熟練に関わりなく、体裁良く、且つ、きれいに手早く作ることができるボタンホール形成布に関する。
【背景技術】
【０００２】  従来より、衣服のボタンホールを作る際は、ボタンを取り付けたい位置にボタンの大きさに合う切れ目を入れた穴の周縁を手やミシンで穴かがり縫いをして作っており、時には薄地の場合は裏生地を当ててボタンホールを作ることもある。【０００３】  また、幅広テープの片面長手中央に、離型性紙の片面に接着層を有する細幅テープを熱圧重合して成る幅広テープをボタンホール形成位置に仮接着して、穴かがりミシン掛けを容易に行えるボタンホール部補強テープの技術がある。（例えば、特許文献１参照）
【特許文献１】実用新案登録第３０４１４１４号公報
【発明の開示】
【発明が解決しようとする課題】
【０００４】  ボタンホールは前記のような方法で作るが、手でかがり縫いするにしてもミシンでかがり縫いするにしても慣れない者にとっては大変面倒な作業であり、特にミシンで作る時は、厚手の生地や襟近くに作る際は厚いのでミシンが動かなくなって失敗することがあり、ほぐしてやり直す際はキズを付けて失敗することもあるため大変神経を使い熟練を必要とした。【０００５】  さらに前記する実用新案登録第３０４１４１４号公報による技術は、広幅テープに、離型性紙片面に熱可塑性接着剤層を施した細幅テープを重合熱圧着して成るもので、ボタンホールを作る際は前記離型性紙を剥がしてから、前記熱可塑性接着剤層が転移した広幅テープをボタン穴を付けたい生地面に接着し、その面に切れ目を形成してから縁かがりするものであるが、これは接着付き広幅テープを裏当て生地として用いるにすぎず、面倒な縁かがり縫いは行わなければならい面倒なボタンホール部補強テープであった。
【課題を解決するための手段】
【０００６】  本発明は、前記のような従来の不便や欠点を解消するために成されたもので、請求項１においては、衣服地に設けるボタン穴用の切れ目周囲を覆う所定の大きさの二枚の布片を重ねて成る、長手方向両サイドから内側に所定の長さの切れ込みを付け、その切れ込みの上下一方を表布とし、他方を裏布とする前記切れ込み部を縫い合わせた前記表布と裏布それぞれを反転して成る中ほどにボタンホールを形成できるものとし、衣服のボタン位置に設けた切れ目に嵌め込んでミシン掛けするだけで作れるものとする。【０００７】  請求項２においては、前記する表布の両サイドと長手辺が、他方の裏布より一回り小さくすることで、表布周囲にミシン掛けしても裏布から外れないで縫えるものとする。【０００８】  請求項３においては、前記する表布と裏布が対向する面に、アイロンの熱で接着する熱接着剤を施すことで、衣服地の切れ目に仮止めして容易にミシン掛けできるものとする。
【発明の効果】
【０００９】  本発明によるボタンホール形成布は、表布と裏布二枚が重ねられた中ほどにボタンホールがあらかじめ形成されているので、ボタンホールを作る際は衣服地に設けた切れ目に裏布を差し入れて裏側に引き出せば衣服地を挟むようにセットされ、且つ、表布と裏布には熱接着剤を施しているのでそのままアイロンを掛けると仮止めできる。そのうえで表布周囲及びボタンホール周りをミシンで本縫いできるので、慣れない者でも簡単にボタンホールを形成できる。また、その際表布は裏布より一回り小さいので、表布側からミシンを掛けると裏布から外れないできれいに縫い付けて手早くボタンホールを作ることができる従来には見られないユニークなボタンホール形成布ある。【００１０】  さらに、衣服地に設けた切れ目にボタンホール形成布を入れて作る方法であるので、例えば、本縫いの押さえを使えば手で加減しながら針を送ることができるため、ミシンでは作りにくい厚い襟周りのボタンホールでも簡単に作ることができる。さらに、衣服地と異なるボタンホール形成布を使えばボタンホール周りの表布はアクセントにもなるので楽しく体裁がよいボタンホール形成布を提供する。
【発明を実施するための最良の形態】
【００１１】  本発明のボタンホール形成布の実施形態を図１に示す斜視図と図２に示す展開斜図、図３に示すＢ−Ｂ線拡大断面図で説明する。【００１２】  本発明によるボタンホール形成布１は、裏布２の上に一回り小さい表布３が重なる中ほどにボタンホール４を形成するもので、衣服地８に設けた切れ目９に取り付けるものである。まず、前記する表布３と裏布２は、前記した衣服地８に設けた切れ目９周囲を約５〜８ミリ以上覆う大きさの長方形状とし、その長手方向両サイドの中心から内側寄りに一定長の切れ込み５，５を付け、その切れ込み５の一方を表布３とし、対向側を裏布２とする前記表布３の両サイド及び長手辺端部を、前記した裏布２より一回り小さくカットした二枚の布片を同じ向きに重ねて成る前記左右の切れ込み５，５部を、図２のように縫い合わせ部６，６によって連結して成る前記表布３と裏布２の外側面に、アイロンにより接着する熱接着剤７を施した各表布３と裏布２を、図２の矢印に示すように互いが向き合うように折り返して成るボタンホール形成布１を構成する。【００１３】  本発明は、以上のようなボタンホール形成布１であるので、衣服地８にボタン穴を作る際は、図４の（イ）（ロ）（ハ）図に示す手順で作る。まず、衣服地８のボタン穴を作りたい位置に必要な長さの切れ目９を付け、その切れ目９に、本案のボタンホール形成布１の裏布２をＵ字状に細くしてから（ロ）図のように前記の切れ目９に差し入れて裏側に引き出すと、（ハ）図のように衣服地８を挟んで裏側に裏布２が、表側には一回り小さい表布３が位置するようにセットされるので、後は両面のボタンホール形成布１にアイロン掛けして熱接着で仮止めしてから、ボタンホール形成布１の表布３周囲及びボタンホール４周りをミシンによる本縫いによる縫い付け部１０によって、衣服地８にボタンホール形成できる。【００１４】  尚、ボタンホール形成布１のＡ−Ａ線部は、図３に示すように左右二つの裏布２の上部に一回り小さい表布３，３が位置し、その表布３と裏布２が対向する内側面に熱接着剤７が施されているので、衣服地８に取り付けてミシンで本縫いする際に仮止めできるので好都合であるが、必ずしも無くても構わない。また、表布３は裏布２より小さくすると、衣服地８に取り付ける際に、表布３の周囲をミシン掛けした場合でも裏布２から外れること無く縫い付けられるので便利であるが、必ずしも無くても差し支えない。【００１５】  本発明は以上のようなボタンホール形成布１であるが、ボタンの大きさに合うボタンホール４を作る際は、左右の切れ込み５，５の深さを調節することで簡単に対応できる。また、ボタンホール形成布１の外形は矩形状であるが、ハート形や円形でもよいし、表布３と裏布２の外形を変えても差し支えない。加えて、ボタンホール形成布１の周囲は図示説明していないが、ほつれないように端を折り返してもよいし、縁かがり縫いしてもよく、いずれも特に限定するものではない。
【図面の簡単な説明】
【００１６】
【図１】本発明のボタンホール形成布を示す斜視図である。
【図２】ボタンホール形成布を展開した斜視図である。
【図３】ボタンホール形成布のＢ−Ｂ線拡大断面図である。
【図４】本発明のボタンホール形成布を用いて、衣服地にボタンホールを作る方法を（イ）（ロ）（ハ）の順に示す参考図である。
【符号の説明】
【００１７】１  ボタンホール形成布
２  裏布
３  表布
４  ボタンホール
５  切れ込み
６  縫い合わせ部
７  熱接着剤
８  衣服地
９  切れ目
１０  縫い付け部
【図１】
2009062668.tif 000003
【図２】
2009062668.tif 000004
【図３】
2009062668.tif 000005
【図４】
2009062668.tif 000006
【手続補正書】
【提出日】平成20年7月28日(2008.7.28)
【手続補正１】
【補正対象書類名】特許請求の範囲
【補正対象項目名】全文
【補正方法】変更
【補正の内容】
【特許請求の範囲】
【請求項１】
衣服地に設けた切れ目の周囲を十分に覆う所定の大きさの長方形状とし、その長方形の短辺側両サイドの中央から内側方向に一定長の切れ込みを付け、その切れ込みの左右いずれか一方側を表布とし、対向側を裏布とする布片を二枚重ねて成る左右の切れ込み部上下を、個々に縫い合わせ部によって連結した上で、前記する上下の表布と裏布それぞれを外側に反転して成る中ほどにボタンホールを形成する構成を特徴とするボタンホール形成布。
【手続補正２】
【補正対象書類名】明細書
【補正対象項目名】全文
【補正方法】変更
【補正の内容】
【発明の詳細な説明】
【技術分野】
【０００１】  本発明は、衣服のボタンホールを作る際に、生地の素材やボタンの大きさ、ミシン掛けの熟練に関わりなく、体裁良く、且つ、きれいに手早く作ることができるボタンホール形成布に関する。
【背景技術】
【０００２】  従来より、衣服のボタンホールを作る際は、ボタンを取り付けたい位置にボタンの大きさに合う切れ目を入れた穴の周縁を手やミシンで穴かがり縫いをして作っており、時には薄地の場合は裏生地を当ててボタンホールを作ることもある。【０００３】  また、幅広テープの片面長手中央に、離型性紙の片面に接着層を有する細幅テープを熱圧重合して成る幅広テープをボタンホール形成位置に仮接着して、穴かがりミシン掛けを容易に行えるボタンホール部補強テープの技術がある。（例えば、特許文献１参照）
【特許文献１】実用新案登録第３０４１４１４号公報
【発明の開示】
【発明が解決しようとする課題】
【０００４】  ボタンホールは前記のような方法で作るが、手でかがり縫いするにしてもミシンでかがり縫いするにしても慣れない者にとっては大変面倒な作業であり、特にミシンで作る時は、厚手の生地や襟近くに作る際は厚いのでミシンが動かなくなって失敗することがあり、ほぐしてやり直す場合はキズを付けて失敗することもあるため大変神経を使い熟練を必要とした。【０００５】  さらに前記する実用新案登録第３０４１４１４号公報による技術は、広幅テープに、離型性紙片面に熱可塑性接着剤層を施した細幅テープを重合熱圧着して成るもので、ボタンホールを作る際は前記離型性紙を剥がしてから、前記熱可塑性接着剤層が転移した広幅テープをボタン穴を付けたい生地面に接着し、その面に切れ目を形成してから縁かがりするものであるが、これは接着付き広幅テープを裏当て生地として用いるにすぎず、面倒な縁かがり縫いは行わなければならい面倒なボタンホール部補強テープであった。
【課題を解決するための手段】
【０００６】  本発明は、前記のような従来の不便や欠点を解消するために成されたもので、請求項１においては、衣服地に設けた切れ目の周囲を十分に覆う所定の大きさの長方形状とし、その長方形の短辺側両サイドの中央から内側方向に一定長の切れ込みを付け、その切れ込みの左右いずれか一方側を表布とし、対向側を裏布とする布片を二枚重ねて成る左右の切れ込み部上下を、個々に縫い合わせ部によって連結した上で、前記する上下の表布と裏布それぞれを外側に反転して成る中ほどにボタンホールを形成することで、衣服のボタン位置に設けた切れ目に嵌め込んでミシン掛けするだけで作れるものとする。
【発明の効果】
【０００７】  本発明によるボタンホール形成布は、表布と裏布二枚が重ねられた中ほどにボタンホールがあらかじめ形成されているので、ボタンホールを作る際は衣服地に設けた切れ目にボタンホール形成布の裏布を差し入れて裏側に引き出せば衣服地を挟むようにセットされ、且つ、表布と裏布には熱接着剤を施しているのでそのままアイロンを掛けると仮止めできる。そのうえで表布周囲及びボタンホール周りをミシンで本縫いできるので、慣れない者でも簡単にボタンホールを形成できる。また、その際表布は裏布より一回り小さいので、表布側からミシンを掛けると裏布から外れないできれいに縫い付けて手早くボタンホールを作ることができる従来には見られないユニークなボタンホール形成布である。【０００８】  さらに、衣服地に設けた切れ目にボタンホール形成布を入れて作る方法であるので、例えば、本縫いの押さえを使えば手で加減しながら針を送ることができるため、ミシンでは作りにくい厚い襟周りのボタンホールでも簡単に作ることができる。さらに、衣服地と異なるボタンホール形成布を使えば、ボタンホール周りの表布がアクセントにもなる、楽しく体裁がよいボタンホール形成布を提供する。
【発明を実施するための最良の形態】
【０００９】  本発明のボタンホール形成布の実施形態を図１に示す斜視図と図２に示すボタンホール形成布を展開した斜視図、図３に示すＢ−Ｂ線拡大断面図で説明する。【００１０】  本発明によるボタンホール形成布１は、裏布２の上に一回り小さい表布３が重なる中ほどにボタンホール４を形成するものとし、そのボタンホール形成布１を衣服地８に設けた切れ目９に差し入れてボタンホール４を作るものである。まず、ボタンホール形成布１を成す前記する表布３と裏布２は、前記した衣服地８に設けた切れ目９の周囲を約５〜８ミリ以上覆う大きさの長方形状とし、その長方形の短辺側両サイドの中央から内側方向に一定長の切れ込み５，５を付け、その切れ込み５の左右いずれか一方側を表布３とし、対向側を裏布２とする前記表布３の両サイド及び長手辺端部を、前記した裏布２より一回り小さくカットした布片を、図２のように同じ向きに二枚重ねて成る前記左右の切れ込み５，５部の上下を、個々に縫い合わせ部６，６によって連結する。以上のように形成した前記表布３と裏布２それぞれの外側面に、アイロンにより接着する熱接着剤７を施した上で、図２の矢印に示すように、上下二枚の裏布２と表布３それぞれを外側に反転すると、前記する左右の縫い合わせ部６，６を施さない中ほどに、図３及び図１に示すようなボタンホール４を形成するボタンホール形成布１を構成する。【００１１】尚、本実施形態における表布３は、裏布２より一回り小さいが裏布２と同じでもよい。また、表布３と裏布２が向き合う面に熱接着剤７を施して衣服地８に接着する方法であるが、熱接着剤７は設けずに、ミシン掛けによる平縫いで取り付けてけてもよい。【００１２】  本発明は、以上のようなボタンホール形成布１であるので、衣服地８にボタン穴を作る際は、図４の（イ）（ロ）（ハ）図に示す手順で作る。まず、衣服地８のボタン穴を作りたい位置に必要な長さの切れ目９を付け、その切れ目９に、本案のボタンホール形成布１の裏布２をＵ字状に細くしてから（ロ）図のように前記の切れ目９に差し入れて裏側に引き出すと、（ハ）図のように衣服地８の背面に裏布２が位置し、表側には一回り小さい表布３が位置するようにセットされるので、後は両面のボタンホール形成布１にアイロン掛けによる熱接着で仮止めしてから、ボタンホール形成布１の表布３周囲及びボタンホール４周りをミシン掛けすることで、衣服地８にボタンホール４を形成できる。【００１３】  尚、ボタンホール形成布１のＡ−Ａ線部は、図３に示すように左右二つの裏布２の上部に一回り小さい表布３，３が位置し、その表布３と裏布２が対向する内側面に熱接着剤７が施されているので、衣服地８に取り付けてミシンで本縫いする際に仮止めできるので好都合であるが、必ずしも無くても構わない。また、表布３は裏布２より小さくすると、衣服地８に取り付ける際に、表布３の周囲をミシン掛けした場合でも裏布２から外れること無く縫い付けられるので便利であるが、必ずしも無くても差し支えない。【００１４】  本発明は以上のようなボタンホール形成布１であるが、ボタンの大きさに合うボタンホール４を作る際は、左右の切れ込み５，５の深さを調節することで簡単に対応できる。また、ボタンホール形成布１��外形は矩形状であるが、ハート形や円形でもよいし、表布３と裏布２の外形を変えても差し支えない。加えて、ボタンホール形成布１の周囲は図示説明していないが、ほつれないように端を折り返してもよいし、縁かがり縫いしてもよく、いずれも特に限定するものではない。
【図面の簡単な説明】
【００１５】
【図１】本発明のボタンホール形成布を示す斜視図である。
【図２】ボタンホール形成布を展開した斜視図である。
【図３】ボタンホール形成布のＢ−Ｂ線拡大断面図である。
【図４】本発明のボタンホール形成布を用いて、衣服地にボタンホールを作る方法を（イ）（ロ）（ハ）の順に示す参考図である。
【符号の説明】
【００１６】１  ボタンホール形成布
２  裏布
３  表布
４  ボタンホール
５  切れ込み
６  縫い合わせ部
７  熱接着剤
８  衣服地
９  切れ目
１０  縫い付け部